(57)【要約】【課題】  本発明は、マルチメディア放送とデジタルＴＶ放送を同時に受信し、さらに局部発振器から出力される妨害波を減衰させることができるＴＶチューナーを提供することを目的とする。【解決手段】  ひとつの信号入力端子から入力される放送信号の混合信号を、各放送信号に対応した受信機へ個別に分配するＴＶチューナーであって、信号入力端子からの信号を２分配する分岐回路と、分岐回路の一方の出力端に接続されている、少なくともＶＨＦ−ＨＩＧＨ帯の信号を通過させるローパスフィルタと、ローパスフィルタの後段に接続されているダイレクトコンバージョン方式により復調を行う、内部に局部発振器を有するＶＨＦ帯の受信機と、分岐回路とＶＨＦ帯の受信機との間に接続されている、ＶＨＦ帯の受信機の局部発振器から出力される局部発振信号の３倍波を減衰させるトラップ回路と、分岐回路の他方の出力端に接続されているＵＨＦ帯の受信機とを備えることを特徴とする。【選択図】        図１
2012134637.tif 000002
【特許請求の範囲】
【請求項１】
ひとつの信号入力端子から入力される放送信号の混合信号を、各放送信号に対応した受信機へ個別に分配するＴＶチューナーであって、
前記信号入力端子からの信号を２分配する分岐回路と、
前記分岐回路の一方の出力端に接続されている、少なくともＶＨＦ−ＨＩＧＨ帯の信号を通過させるローパスフィルタと、
前記ローパスフィルタの後段に接続されているダイレクトコンバージョン方式により復調を行う、内部に局部発振器を有するＶＨＦ帯の受信機と、
前記分岐回路と前記ＶＨＦ帯の受信機との間に接続されている、前記ＶＨＦ帯の受信機の局部発振器から出力される局部発振信号の３倍波を減衰させるトラップ回路と、
前記分岐回路の他方の出力端に接続されているＵＨＦ帯の受信機とを備えることを特徴とするＴＶチューナー。
【請求項２】
前記トラップ回路は、前記ローパスフィルタと前記ＶＨＦ帯の受信機との間に接続されていることを特徴とする請求項１に記載のＴＶチューナー。
【請求項３】
前記ローパスフィルタは、コイルとコンデンサにより構成されていることを特徴とする請求項１または２に記載のＴＶチューナー。
【請求項４】
前記トラップ回路は、コイルとコンデンサの直列共振回路を接地することにより構成されていることを特徴とする請求項１〜３のうち、いずれか１項に記載のＴＶチューナー。
【発明の詳細な説明】
【技術分野】
【０００１】
本発明は、ＵＨＦ帯とＶＨＦ帯の信号をひとつのアンテナにより受信することができるＴＶチューナーに関するものである。
【背景技術】
【０００２】
アナログＴＶ放送が停波した後に、ＶＨＦ−ＨＩＧＨ帯にてマルチメディア放送の採用が検討されている。マルチメディア放送が開始されると、ＵＨＦ帯にて放送されているデジタルＴＶ放送と同時に受信される機会が高い確率で存在すると思われる。そこで本発明は、ＵＨＦ帯とＶＨＦ帯の両方の周波数に対応した信号を同時に受信することができる小型のＴＶチューナーを提案する。
【０００３】
このようなＴＶチューナーの例としては、例えば特許文献１に開示されている。この特許文献１に開示されたＴＶチューナー１００は、図３に示すように、共用アンテナ１０１と、前記共用アンテナ１０１の後段に接続され、出力端が二股に分かれているフィルタ回路１０４と、前記フィルタ回路１０４の一方の出力端に接続されているローパスフィルタ１０５と、前記ローパスフィルタ１０５の後段に接続されているＶＨＦ帯の受信機１０２と、前記フィルタ回路１０４の他方の出力端に接続されているハイパスフィルタ１０６と、前記ハイパスフィルタ１０６の後段に接続されているＵＨＦ帯の受信機１０３とを有する。各受信機１０２、１０３は、スーパーヘテロダイン方式により周波数変換を行い、信号を受信するものである。
【先行技術文献】
【特許文献】
【０００４】
【特許文献１】実開昭６２−８０４４１号公報
【発明の概要】
【発明が解決しようとする課題】
【０００５】
従来のＴＶチューナーは、受信機にスーパーヘテロダイン方式の回路を用いていたため、回路規模が大きくなり、携帯電話等の小型の電子機器に適用することができなかった。そこで本発明は、小型の電子機器等に一般的に用いられているダイレクトコンバージョン方式の受信機を用いた。
【０００６】
しかし、受信機の方式を変更したために、ＶＨＦ−ＨＩＧＨ帯の受信機の局部発振器から出力される局部発振信号の３倍波（以下、妨害波）がＵＨＦ帯と重なり、ＵＨＦ帯の受信を妨げる信号が出力されてしまい、妨害波が信号線を伝わってＵＨＦ帯の受信機に入力され、ＵＨＦ帯の受信を妨害してしまう不具合が発生する。
【０００７】
そこで本発明は、マルチメディア放送とデジタルＴＶ放送を同時に受信し、さらに局部発振器から出力される妨害波を減衰させることができるＴＶチューナーを提供することを目的とする。
【課題を解決するための手段】
【０００８】
本発明のＴＶチューナーは、ひとつの信号入力端子から入力される放送信号の混合信号を、各放送信号に対応した受信機へ個別に分配するＴＶチューナーであって、前記信号入力端子からの信号を２分配する分岐回路と、前記分岐回路の一方の出力端に接続されている、少なくともＶＨＦ−ＨＩＧＨ帯の信号を通過させるローパスフィルタと、前記ローパスフィルタの後段に接続されているダイレクトコンバージョン方式により復調を行う、内部に局部発振器を有するＶＨＦ帯の受信機と、前記分岐回路と前記ＶＨＦ帯の受信機との間に接続されている、前記ＶＨＦ帯の受信機の局部発振器から出力される局部発振信号の３倍波を減衰させるトラップ回路と、前記分岐回路の他方の出力端に接続されているＵＨＦ帯の受信機とを備えることを特徴とする。
【０００９】
この場合は、ダイレクトコンバージョン方式の受信機を用いることで、回路規模を縮小することができ、小型の電子機器に適用できるようになる。また、ＶＨＦ帯の受信機の局部発振器から出力される妨害波は、ローパスフィルタ及びトラップ回路によって十分に減衰されるため、ＵＨＦ帯へ入力される妨害波のレベルが低くなり、ＵＨＦ帯の受信への影響が少なくなる。
【００１０】
また本発明は、前記トラップ回路は、前記ローパスフィルタと前記ＶＨＦ帯の受信機との間に接続されていることが望ましい。この場合は、トラップ回路が局部発振器の初段に接続されるため、信号をより多く減衰させることができる。
【００１１】
また本発明は、前記ローパスフィルタは、コイルとコンデンサにより構成されていることが望ましい。この場合は、ローパスフィルタをチップ部品のみで構成することができるので、小型化、低背化が可能になる。
【００１２】
また本発明は、前記トラップ回路は、コイルとコンデンサの直列共振回路を接地することにより構成されていることが望ましい。この場合は、トラップ回路をチップ部品のみで構成することができるので、小型化、低背化が可能になる。
【発明の効果】
【００１３】
ダイレクトコンバージョン方式の受信機を用いることで、回路規模を縮小することができ、小型の電子機器に適用できるようになる。また、ＶＨＦ帯の受信機の局部発振器から出力される妨害波は、ローパスフィルタ及びトラップ回路によって減衰されるため、ＵＨＦ帯へ入力される妨害波のレベルが低くなり、ＵＨＦ帯の受信への影響が少なくなる。
【図面の簡単な説明】
【００１４】
【図１】本発明の実施形態１に係るＴＶチューナーの回路ブロック図である。
【図２】本発明の実施形態１に係るＴＶチューナーの回路図である。
【図３】従来のＴＶチューナーの回路ブロック図である。
【発明を実施するための形態】
【００１５】
以下に、本発明の実施形態に係るＴＶチューナーについて説明する。
【００１６】
（実施形態１）
図１は本実施形態１に係るＴＶチューナー１０の回路ブロック図である。また、図２は本実施形態１に係るＴＶチューナー１０の回路図である。以下、図１と図２を参照しながら説明する。
【００１７】
本実施形態１のＴＶチューナー１０は、図１に示すように、共用アンテナ１と、共用アンテナ１の後段に接続されているＬＮＡ４と、ＬＮＡ４の後段に接続されている段間回路部１１と、段間回路部１１の後段に接続されている受信回路部１２から構成されている。
【００１８】
段間回路部１１は、ＬＮＡ４からの出力信号を２分配する分岐回路５と、分岐回路５の一方の出力端に接続されている、少なくともＶＨＦ−ＨＩＧＨ帯の信号を通過させるローパスフィルタ６と、ローパスフィルタ６の後段に接続されている、ＶＨＦ帯の受信機２の局部発振器から出力される局部発振信号の３倍波を減衰させるトラップ回路７から構成されている。
【００１９】
受信回路部１２は、分岐回路５の一方の出力端側であって、ローパスフィルタ６の後段に接続されているＶＨＦ帯の受信機２と、分岐回路５の他方の出力端に接続されているＵＨＦ帯の受信機３から構成されている。
【００２０】
共用アンテナ１から入力された信号は、ＬＮＡ４により増幅され、分岐回路５によって２分配される。分配された一方の信号のうち、ＶＨＦ帯の周波数にあたる低い周波数の信号はローパスフィルタ６、トラップ回路７を通過し、ＶＨＦ帯の受信機２へと入力される。分配された他方の信号は、ＵＨＦ帯の受信機３へと入力される。
【００２１】
ＶＨＦ帯の受信機２は、ダイレクトコンバージョン方式により構成されており、例えば図２に示すように、内部に局部発振器、復調部等を有する。ＶＨＦ帯の受信機２は、少なくともＶＨＦ−ＨＩＧＨ帯の信号を受信することができる。ＶＨＦ−ＨＩＧＨ帯の受信周波数は、２０７．５〜２２２ＭＨｚである。
【００２２】
ＵＨＦ帯の受信機３は、ダイレクトコンバージョン方式により構成されており、例えば図２に示すように、内部に局部発振器、復調部等を有する。ＵＨＦ帯の受信機３は、４７０〜７７０ＭＨｚの周波数帯の信号を受信することができる。
【００２３】
ダイレクトコンバージョン方式は回路構成の方式の一種である。具体的には、受信可能な周波数帯のＲＦ信号が受信機に入力されると、受信機の内部に設けられた局部発振器からＲＦ信号と同じ周波数の局部発振信号がミキサーに入力され、これら２つの信号がミキサーにより周波数変換されて差分の周波数のベースバンド信号が出力される。その後、ベースバンド信号を復調部等によりＴＳ信号に変換するという受信回路方式である。この方式は、Ｚｅｒｏ−ＩＦとも呼ばれる。
【００２４】
分岐回路５は、図２に示すように、例えばアクティブ型パワースプリッタから構成されている。トランジスタのベースにＲＦ信号が入力され、トランジスタのコレクタ側の信号はＶＨＦ帯の信号として出力され、エミッタ側の電極はＵＨＦ帯の信号として出力される。
【００２５】
分岐回路５は、アクティブ素子により構成されている。入力信号を単に二股に分岐した場合には、出力信号のレベルが３ｄＢ以上減衰するが、アクティブ素子を用いているので利得が得られ、入力信号の減衰を防ぐことができる。また、周波数を限定する要素がないため、帯域を広くとることができ、通過帯域の損失が少ない。
【００２６】
ローパスフィルタ６は、図２に示すように、例えばコイルとコンデンサにより構成されている。ローパスフィルタ６はπ型で、２セクションである。ローパスフィルタ６は少なくともＶＨＦ−ＨＩＧＨ帯を通過するように設計されており、例えば遮断周波数を３００ＭＨｚとして設計を行っている。遮断周波数はＶＨＦ帯の上側周波数の１．３〜１．５倍の周波数であることが望ましい。このように構成しているので、ローパスフィルタ６をチップ部品のみで構成でき、小型化、低背化が可能になる。
【００２７】
トラップ回路７は、特定の周波数に減衰極が形成されるように構成された回路であり、図２に示すように、例えばコイルとコンデンサの直列共振回路を接地したものを２つ並列に接続して構成されている。このように構成しているので、トラップ回路７をチップ部品のみで構成することができ、小型化、低背化が可能になる。また、特定の周波数成分を急峻に減衰させることができる。トラップ回路７は、ＶＨＦ帯の受信機２の局部発振器から出力される妨害波の除去を行うために設けられている。
【００２８】
妨害波は、チューナーを構成しているＶＨＦ帯の受信機２の局部発振器から出力されるもので、信号の周波数がＵＨＦ帯の受信周波数（４７０〜７７０ＭＨｚ）と重なるために、ＵＨＦ帯の受信を妨げてしまう信号である。妨害波の周波数は、ＶＨＦ−ＨＩＧＨ帯の３倍波の周波数となる６２２．５〜６６６ＭＨｚである。
【００２９】
妨害波は局部発振器からトラップ回路７、ローパスフィルタ６、分岐回路５と各回路を接続する信号線を伝わってＵＨＦ帯の受信機３へと入力される。
【００３０】
ここで、ローパスフィルタ６は、ＶＨＦ帯の受信機２から出力された妨害波を共用アンテナ１側に通過させにくくするという効果はあるが、不十分である。
【００３１】
そこで、６２２．５〜６６６ＭＨｚの周波数に減衰極が形成されるように構成したトラップ回路７を設ける。このように構成しているので、妨害波を十分に減衰させることができる。
【００３２】
本実施形態では、トラップ回路７は、ローパスフィルタ６とＶＨＦ帯の受信機２との間に接続されていることが望ましい。このように構成すると、トラップ回路７がＶＨＦ帯の受信機２の局部発振器の初段に接続されるので、信号をより多く減衰させることができる。
【００３３】
（他の実施例）
なお、本発明に係るＴＶチューナーは前記実施形態に限定するものではなく、その要旨の範囲内で種々に変更できる。
【００３４】
前記実施形態では、分岐回路５をパワースプリッタから構成しているが、これに限るものではない。例えば、パッシブ素子や、ＲＦトランス、ウィルキンソンハイブリッド等の伝送線路によって実現してもよいが、２出力間のアイソレーションが高いことが望ましい。挿入損失が大きくなる場合には、別途アンプ等を挿入することが望ましい。
【００３５】
前記実施形態では、ローパスフィルタ６は、π型で２セクションのコイルとコンデンサから構成しているが、これに限るものではない。例えばＴ型でもよいし、何セクションでもよい。
【００３６】
前記実施形態では、トラップ回路７はコイルとコンデンサの直列共振回路を接地したものを２つ並列に接続して形成しているが、これに限るものではない。６２２．５〜６６６ＭＨｚの信号が遮断されるような周波数帯域の中心に減衰極を有する回路であれば、例えば複数個のトラップを持つＳＡＷ共振器等を用いてもよいし、何セクションでもよい。
【００３７】
前記実施形態では、分岐回路５とＵＨＦ帯の受信機３との間に、ハイパスフィルタが設けられていてもよい。
【００３８】
前記実施形態では、ＶＨＦ−ＨＩＧＨ帯の受信機の局部発振信号の高調波がＵＨＦ帯の受信機３に与える妨害に特化しているが、ＶＨＦ−ＬＯＷ帯の受信機の局部発振信号の高調波、具体的には５倍波についても同様に対処することができる。この場合は、ローパスフィルタ６の遮断周波数やトラップ回路７の減衰極の周波数を妨害周波数に応じて変更して適用すればよい。
【符号の説明】
【００３９】
１…共用アンテナ
２…ＶＨＦ帯の受信機
３…ＵＨＦ帯の受信機
４…ＬＮＡ
５…分岐回路
６…ローパスフィルタ
７…トラップ回路
１０、１００…ＴＶチューナー
１１…段間回路部
１２…受信回路部
【図１】
2012134637.tif 000003
【図２】
2012134637.tif 000004
【図３】
2012134637.tif 000005